(57)【特許請求の範囲】
【請求項１】
マイクロコンピュータとメモリと外部機器とのインタフェース部と制御部と表示器と電源部とＬＥＤテープ部とを有し、前記メモリ上の複数の録音トラックに、前記インタフェース部を介して録音データを転送できると共に、組み込みマイクにより該録音トラックに録音できる機能と該複数の録音トラックより任意のトラックの録音を通行者感知センサからの感知信号によって再生してスピーカから発音する機能を有し、且つ前記メモリに前記インタフェース部を介して複数の表示パターンを転送できる機能を有し、該表示パターンを任意に選択して表示できる表示器を有し、前記ＬＥＤテープ部によってストリーム表示し、三角コーン及び／もしくは支柱への取付アダプタを付加できる機構を有することを特徴とする通行者注意喚起装置。
【請求項２】
請求項１記載の通行者注意喚起装置において、該装置を防水構造を有する筺体に収納することを特徴とする、通行者注意喚起装置。
【請求項３】
請求項１もしくは２記載の通行者注意喚起装置において、該装置の電源部に太陽電池パネルを接続することを特徴とする通行者注意喚起装置。
【発明の詳細な説明】
【技術分野】
【０００１】
本発明は、通行者に各種の注意情報を提示し、注意を喚起する装置に関する。
【背景技術】
【０００２】
近年、道路工事中の道路を通行する通行者や美術館の行列に並ぶ通行者に通行方向の指示や行列方向、あるいは立ち入り禁止等の注意事項を指示する場面が多くみられる。このような場面では注意看板を立てたり、工事現場で多く見られる三角コーンを立てたり、小型支柱にロープを張って行列方向を指示するのが一般的である。あるいは、工事や行列の案内をするための案内者を各所に配置することが多い。
【０００３】
しかし、標識等では通行者が標識を見損なったり、方向がはっきり識別できない場合を生ずる。また、案内者を多数配置するためには、案内者の事前訓練も必要なうえ、人件費が多くかかるという問題点がある。
【０００４】
特許文献１は、従来の漠然とした工事保安灯に代わって、導光板を用いて工事の内容を通行者に知らせ、具体的な注意を喚起させることができる保安灯を提供する発明に係る技術思想を開示する。しかし、導光板による光の掲示のみでは、通行者がよそ見をして見落としてしまう可能性もある。また、周囲が暗い場合は、通行者がいなくとも常時点灯しているため、無駄に電気エネルギーを消費してしまうこととなる。
【先行技術文献】
【特許文献】
【０００５】
【特許文献１】特開２００１−３０６００１号公報
【特許文献２】特許第４８６５０８５号公報
【特許文献３】特許第４９１６５９４号公報
【発明の概要】
【発明が解決しようとする課題】
【０００６】
本発明は、上記のごとく、例えば、工事現場を通りかかった通行者に対して、工事に関する注意事項や進行方向等の情報を確実に伝えることを課題とする。同様に、たとえば、美術館に行列する通行者に対して行列方向や、注意事項、行列待ち時間等の情報を確実に伝えることも課題とする。
【０００７】
さらに、前記情報伝達は常時行うのではなく、通行者が存在する時のみに確実に行うことにより省エネを達成することも課題とする。
【課題を解決するための手段】
【０００８】
上記のような各課題を解決するために、本発明に係る通行者注意喚起装置は、通行者が通り掛ったことを感知する人感センサを備え、音声と表示によって通行者の注意を喚起する。
【０００９】
また、マイクロコンピュータ（以下「μＣＰＵ」と略。）とメモリを装備し、複数の音声ガイド及び複数の表示パターンを内蔵し、任意の音声ガイドと表示パターンを選択できる機能を有する。
【００１０】
さらに、マイクを装備して、音声ガイドを録音・再生できる機能を有しており、μＣＰＵを介してパソコンや携帯電話のような外部機器により音声ガイドや表示パターンを入力することもできる。
【００１１】
本発明の通行者注意喚起装置は小型軽量に実用化することが可能で、装置全体を工事現場の表示に用いられる三角コーンの上部や行列のガイドロープに用いられる支柱の上部に取り付けることができる。
【００１２】
また、本発明の発明者が発明した他の発明品（特許文献２，３）との連接機能を有している。
【発明の効果】
【００１３】
以上、説明したように、本発明に係る通行者注意喚起装置においては、通行者が通りかかったときのみ音声ガイドや注意表示を行うため、大幅な省エネを達成できる。
【００１４】
また、音声と表示の２通りの注意喚起を行うため、通行者への喚起をより確実に行うことができ、音声ガイドや表示パターンは工事状況や行列状況に応じて選択したり入れ替えをする事ができるため、より適切な注意喚起を行うことができる。
【００１５】
更に、上記各機能を利用して注意喚起ばかりでなく、例えば行列の待ち時間や、行列中の通行者に対する宣伝等の情報伝達装置としても用いることができる。
【００１６】
また、本発明の発明者が発明した他の２発明により、通行者の注意を更に確実に喚起するとともに、適切な情報伝達を行うことができる。
【図面の簡単な説明】
【００１７】
【図１】本発明の一実施形態に係る通行者注意喚起装置の一実施例を示す概略図である。
【図２】本発明の一実施形態に係る通行者注意喚起装置の動作説明のための概略ブロックダイヤグラムである。
【図３】本発明の一実施形態に係る通行者注意喚起装置を工事現場の三角コーンに設置した一例である。
【図４】本発明の一実施形態に係る通行者注意喚起装置を行列のガイドロープ支柱に設置した一例である。
【発明を実施するための形態】
【００１８】
以下、図面を参照して本発明の実施形態を説明する。なお、以下では本発明の目的を達成するための説明に必要な範囲を模式的に示し、本発明の該当部分の説明に必要な範囲を主に説明することとし、説明を省略する箇所については公知技術によるものとする。
【００１９】
図１は本発明の一実施形態に係る通行者注意喚起装置である。同図に示すように、装置全体は１つの筺体２の中に納められており、筺体２には液晶や発光ダイオードマトリクスで構成される表示器３、音声を発声するスピーカ４、詳細後述する通行者感知赤外線センサ６、マイク７、録音ボタン８、音声データ選択スイッチ９、表示データ選択スイッチ１０および外部機器とのインタフェース部５が設けられている。なお、点線部１１は太陽電池パネル取り付けスペース、１２は発光表示スティック取り付けスペースである。
【００２０】
図２は本発明の一実施形態のシステムブロック図であり、通行者の注意を喚起する音声は制御部２８中の録音ボタン８を押すことにより、マイク７からＡ／Ｄコンバータ２５、μＣＰＵ２１を介してメモリ２２に記憶される。また、外部機器からインタフェース部５およびμＣＰＵ２１を介してメモリ２２に記憶することもできる。
【００２１】
記憶された音声データは、制御部２８中の音声データ選択スイッチ９によって選択された音声データを増幅器２４を介してスピーカ４から発音する。この発音のタイミングは通行者感知赤外線センサ６よりの感知情報によって行う。
【００２２】
上記各部には電源部２７から電源が供給されるが、電源部２７は通常の電池あるいは充電電池及び太陽電池パネルを組み合わせた物としても良く、外部電源が使用できる環境では外部電源を用いても良い。
【００２３】
本装置の前方を通行する通行者を感知する通行者感知赤外線センサ６（赤外線人感センサ）としてはアクティブ式とパッシブ式とがある。アクティブ式は赤外線ビームを発射し、そのビームを反射したり遮ったりした通行者を検出し、パッシブ式は通行者の人体から放出する赤外線を受信して通行者を検出する。
【００２４】
上記両方式は、どちらも公知技術として広く用いられており、本発明による通行者注意喚起装置１の通行者感知赤外線センサ６としては、アクティブ式でもパッシブ式でも用いることができる。
【００２５】
図３は、本発明の通行者注意喚起装置１を工事現場に通りかかる通行者への喚起装置として応用する場合の概略図である。三角コーン３１上に取り付けられた本通行者注意喚起装置１は、通行者感知赤外線センサ６によって通行者が通りかかったことを感知すると、予め選択、設定された音声ガイド、例えば「これから先工事中です、右へ進んで下さい。」や「ここから先立入禁止です。」等をスピーカ４から発音し、表示器３には「工事中」や「立ち入り禁止マーク」の表示を行う。
【００２６】
上記発音時間と表示時間はあらかじめ設定されており、通行者がいない場合は発音、表示はされないため省エネを達成できる。
【００２７】
図３のような屋外使用の場合は、通行者注意喚起装置１の筺体２は防水構造とし、筺体上部に太陽電池パネルを取り付け電源部の電池を充電することにより省エネを達成できる。
【００２８】
図３では更に、本発明の通行者注意喚起装置頂部に発光表示スティックの左右往復装置を装備した例を示している。このようにすると、発光表示スティックによって空中に大きな「工事中」や「右に進め」等の注意喚起情報が表示され、通行者の注意を更に確実に喚起されることとなる。
【００２９】
また、誘導経路表示システムと連接して、工事現場の壁に張ったＬＥＤテープライト３２を右にストリーム（光の流れ）させることにより、通行者により感覚的に方向指示をすることができる。さらに、ＬＥＤ投影機等と連接させ地面や壁に「方向マーク」や「進入禁止」を投影表示しても良いであろう。
【００３０】
図４では、本発明の通行者注意喚起装置１を美術館等の行列整理用のガイドポール４１頂部に装備した例である。行列に並ぼうとする通行者４２を感知すると、設定された音声ガイド「ガイドロープの間をお進みください。」あるいは「光ガイドに沿ってお進みください。」等をスピーカ４から発音するとともに、表示器３には「矢印」表示や「指示手」のスクロール表示等を行うことにより通行者の注意喚起とガイドを確実に行うことができる。
【００３１】
上記の注意喚起と共に、ガイドポール間のロープをＬＥＤテープライト３２で構成し、誘導経路表示システムによって矢印方向にストリーム表示させれば更に確実な注意喚起、ガイドを行うことができる。
【００３２】
また、行列の最初ばかりでなく、途中のガイドポール４３頂部にも本発明の通行者注意喚起装置１を装備し、行列する通行者が通りかかると、例えば「現在の行列待ち時間２０分です。」と発音し表示器には「待ち時間２０分」と表示する等、いろいろな応用をすることができる。
【００３３】
なお、図３、図４のように工事用の三角コーン３１やガイドポール４１に通行者注意喚起装置１を取り付ける場合は、それぞれの上部構造に適合するような短い筒状のアダプタを通行者注意喚起装置１の下部に取り付け、三角コーン３１やガイドポール４１の上部に差し込んで固定する。もちろん、固定用のアダプタとしてはその他色々な形状が工夫できるが、全て本発明の思想に含まれるものである。
【産業上の利用可能性】
【００３４】
本発明は、工事現場での通行者に対する注意喚起装置や行列する通行者への注意喚起装置としての応用について説明したが、行列者に待ち時間や注意事項、或いは宣伝等の情報伝達装置として利用することができる。更には、店舗の入口に設置して来店者への挨拶や各種案内等の受付装置にも広く利用することができるであろう。
【００３５】
また、店舗のショーウインドに設置して、店舗前を通行する通行者の呼び込み装置として利用することも考えられる。
【００３６】
更に、緊急時に誘導経路表示システムと連接すれば、「火災発生、光に沿って避難して下さい。」との避難メッセージを発音すると共に、特許文献３の誘導経路表示システムと連動することにより、避難誘導のための情報伝達装置としても利用することができる。
【符号の説明】
【００３７】
１…通行者注意喚起装置、２…筺体、３…表示器、４…スピーカ、５…インタフェース部、６…通行者感知赤外線センサ、７…マイク、８…録音ボタン、９…音声データ選択スイッチ、１０…表示データ選択スイッチ、１１…太陽電池パネル取り付けスペース、１２…発光表示スティック取り付けスペース、２１…μＣＰＵ、２２…メモリ、２４…増幅器、２５…Ａ／Ｄコンバータ、２６…通行者感知赤外線センサ、２７…電源部、２８…制御部、３１…三角コーン、３２…ＬＥＤテープライト、４１…ガイドポール、４２…通行者、４３…ガイドポール
【要約】
【課題】道路工事等の工事現場を通行する通行者に、工事に伴う通行にかかわる注意事項を確実に伝達すること。また、美術館等に並ぶ行列者に対して通行方法や待ち時間等の情報を確実に伝達すること。
【解決手段】マイクロコンピュータとメモリと外部機器とのインタフェース部と制御部と表示器と電源部とを有し、前記メモリ上の複数の録音トラックに、前記インタフェース部を介して録音データを転送できると共に、組み込みマイクにより該録音トラックに録音できる機能と該複数の録音トラックより任意のトラックの録音を通行者感知センサからの感知信号によって再生してスピーカから発音する機能を有し、且つ前記メモリに前記インタフェース部を介して複数の表示パターンを転送できる機能を有し、該表示パターンを任意に選択して表示できる表示器を有する。
【選択図】図１【図４】
0005564137.tif 000002
【図１】
0005564137.tif 000003
【図２】
0005564137.tif 000004
【図３】
0005564137.tif 000005